(57)【要約】【課題】鐙を使用し、より高い運動効果を得ることができる揺動型運動装置を提供する。【解決手段】鐙１５には、その伸張方向及び前後方向に対向する弾性力による反力を生じさせる弾性部材２３が備えられる。即ち、座部１３の揺動による通常の運動負荷に加え、その揺動に基づいて使用者が足掛け部２１を通じて鐙１５を踏み込んで変位させた際、弾性部材２３にてその変位方向と対向する方向の反力（負荷）が生じる。【選択図】図３
2011120728.tif 000002
【特許請求の範囲】
【請求項１】
基台に駆動機構を介して座部が揺動可能に構成されると共に、前記座部の左右両側に吊り下げられた鐙が備えられ、前記鐙の足掛け部に足を掛け前記座部に跨って着座した使用者に対し、前後方向及び左右方向の揺動を組み合わせた揺動パターンの実行による運動負荷を付与する揺動型運動装置であって、
前記鐙自体、若しくは前記鐙と前記基台側との間に、前記鐙の伸張方向及び前後方向の少なくとも一方に対向する弾性力による反力を生じさせる弾性部材が備えられていることを特徴とする揺動型運動装置。
【請求項２】
請求項１に記載の揺動型運動装置において、
前記鐙は、前記弾性部材を備えてなるものであり、前記座部に対して着脱可能に構成されていることを特徴とする揺動型運動装置。
【請求項３】
請求項１又は２に記載の揺動型運動装置において、
前記鐙は、前記足掛け部が連結部材を介して前記座部に吊り下げられてなるものであり、
前記弾性部材は、前記連結部材における前記座部寄りに配置されていることを特徴とする揺動型運動装置。
【請求項４】
請求項１又は２に記載の揺動型運動装置において、
前記鐙は、前記足掛け部が連結部材を介して前記座部に吊り下げられてなるものであり、
前記弾性部材は、前記連結部材における前記足掛け部寄りに配置されていることを特徴とする揺動型運動装置。
【請求項５】
請求項１〜４のいずれか１項に記載の揺動型運動装置において、
前記鐙は、前記弾性部材を備えてなるものであり、その弾性部材が複数並列的に構成されていることを特徴とする揺動型運動装置。
【請求項６】
請求項１〜５のいずれか１項に記載の揺動型運動装置において、
前記鐙の足掛け部は、足指にて把持可能な凸部を有していることを特徴とする揺動型運動装置。
【発明の詳細な説明】
【技術分野】
【０００１】
本発明は、座部の揺動にて、着座した使用者に運動負荷を付与する揺動型運動装置に関するものである。
【背景技術】
【０００２】
揺動型運動装置においては、例えば特許文献１にて示されるように、座部が所定パターンで揺動運動し、その座部に着座した使用者に乗馬を模した運動負荷等が付与されるように構成されるものがある。また、この揺動型運動装置は、座部から鐙が吊り下げられてなり、鐙に使用者の足を載せた状態での座部の揺動による運動負荷を使用者に付与するものである。
【０００３】
また、特許文献１にて示される鐙は、足掛け部が弾性材よりなる連結片にて吊り下げられており、足掛け部が座部より外側位置に配置されるようにその弾性力で保持するようになっている。つまり、使用者が座部に跨る際に、足掛け部が座部より外側に離れているために足掛けが容易で、また座部に跨った使用状態で足掛け部が内側に位置するようにその連結片が撓むため、使用時における使用者の膝への負担に配慮するようになっている。
【先行技術文献】
【特許文献】
【０００４】
【特許文献１】特開２００９−５６１８５号公報
【発明の概要】
【発明が解決しようとする課題】
【０００５】
ところで、上記の揺動型運動装置では、座部の揺動による運動効果が得られるが、その運動効果をより高めることが要望されており、鐙を使用することでその座部の揺動運動から新たな運動効果を付加できないかが検討されている。
【０００６】
本発明は、上記課題を解決するためになされたものであって、その目的は、鐙を使用して、より高い運動効果を得ることができる揺動型運動装置を提供することにある。
【課題を解決するための手段】
【０００７】
上記課題を解決するために、請求項１に記載の発明は、基台に駆動機構を介して座部が揺動可能に構成されると共に、前記座部の左右両側に吊り下げられた鐙が備えられ、前記鐙の足掛け部に足を掛け前記座部に跨って着座した使用者に対し、前後方向及び左右方向の揺動を組み合わせた揺動パターンの実行による運動負荷を付与する揺動型運動装置であって、前記鐙自体、若しくは前記鐙と前記基台側との間に、前記鐙の伸張方向及び前後方向の少なくとも一方に対向する弾性力による反力を生じさせる弾性部材が備えられていることをその要旨とする。
【０００８】
この発明では、鐙自体、若しくは鐙と装置の基台側との間に、鐙の伸張方向及び前後方向の少なくとも一方に対向する弾性力による反力を生じさせる弾性部材が備えられる。これにより、座部の揺動による通常の運動負荷に加え、その揺動に基づいて使用者が足掛け部を踏み込んで鐙を伸張方向及び前後方向に変位させた際、弾性部材にてその変位方向と対向する方向の反力が生じ、使用者の特に脚部を中心に運動負荷を付加できる。
【０００９】
請求項２に記載の発明は、請求項１に記載の揺動型運動装置において、前記鐙は、前記弾性部材を備えてなるものであり、前記座部に対して着脱可能に構成されていることをその要旨とする。
【００１０】
この発明では、鐙は、弾性部材を備えて座部に対して着脱可能に構成されるため、弾性部材の劣化による鐙の交換が容易となる。また、弾性部材の弾性力が異なる鐙を複数用意することで、使用者毎の運動負荷の変更が容易となる。
【００１１】
請求項３に記載の発明は、請求項１又は２に記載の揺動型運動装置において、前記鐙は、前記足掛け部が連結部材を介して前記座部に吊り下げられてなるものであり、前記弾性部材は、前記連結部材における前記座部寄りに配置されていることをその要旨とする。
【００１２】
この発明では、鐙は、足掛け部が連結部材を介して座部に吊り下げられてなり、弾性部材は、連結部材における座部寄りに配置される。これにより、脚部の中でも上腿部を中心に運動負荷を付与できる。
【００１３】
請求項４に記載の発明は、請求項１又は２に記載の揺動型運動装置において、前記鐙は、前記足掛け部が連結部材を介して前記座部に吊り下げられてなるものであり、前記弾性部材は、前記連結部材における前記足掛け部寄りに配置されていることをその要旨とする。
【００１４】
この発明では、鐙は、足掛け部が連結部材を介して座部に吊り下げられてなり、弾性部材は、連結部材における足掛け部寄りに配置される。これにより、脚部の中でも下腿部を中心に運動負荷を付与できる。
【００１５】
請求項５に記載の発明は、請求項１〜４のいずれか１項に記載の揺動型運動装置において、前記鐙は、前記弾性部材を備えてなるものであり、その弾性部材が複数並列的に構成されていることをその要旨とする。
【００１６】
この発明では、鐙は、弾性部材を備えその弾性部材が複数並列的に構成されるため、弾性部材の１つが万一断裂しても鐙としての機能を維持できる。
請求項６に記載の発明は、請求項１〜５のいずれか１項に記載の揺動型運動装置において、前記鐙の足掛け部には、足指にて把持可能な凸部を有していることをその要旨とする。
【００１７】
この発明では、鐙の足掛け部は、足指にて把持可能な凸部を有しているため、更に足指への運動負荷を付加できる。
【発明の効果】
【００１８】
本発明によれば、鐙を使用して、より高い運動効果を得ることができる揺動型運動装置を提供することができる。
【図面の簡単な説明】
【００１９】
【図１】本実施形態における揺動型運動装置の斜視図である。
【図２】同揺動型運動装置の側面図である。
【図３】（ａ）〜（ｃ）は同揺動型運動装置の動作説明図である。
【図４】（ａ）〜（ｄ）は別例における鐙の構成図である。
【図５】（ａ）（ｂ）は別例における弾性部材の取り付け態様を示す斜視図である。
【発明を実施するための形態】
【００２０】
以下、本発明を具体化した一実施形態を図面に従って説明する。
図１及び図２は、本実施形態の揺動型運動装置１０を示す。揺動型運動装置１０は、床面に設置される基台１１に駆動機構１２を介して座部１３が揺動可能に組み付けられ、モータを駆動源とした駆動機構１２の駆動に基づいて、座部１３が前後方向及び左右方向の揺動を組み合わせた例えば乗馬を模した揺動パターンを含む各種の揺動パターンにて揺動するものである。
【００２１】
また、この揺動型運動装置１０には、座部１３に跨って着座した使用者が把持する手綱１４が座部１３の前部に取り付けられるとともに、座部１３の左右両側下部から鐙１５がそれぞれ吊り下げられている。鐙１５は、使用者の足を載せるべく略三角環状の足掛け部２１と、該足掛け部２１を座部１３に連結する連結片２２とを備え、足掛け部２１を下端に連結した連結片２２の上端が座部１３に対して着脱可能に連結されている。また、連結片２２は、コイルスプリング等よりなる弾性部材２３を介装して構成され、吊り下げ方向（伸縮方向）及び前後方向の傾動に対して弾性力による反力が生じるように構成されている。
【００２２】
即ち、座部１３に跨って着座した使用者は、座部１３の各種の揺動パターンにより揺動負荷が付与されて運動効果が得られるとともに、図３（ａ）〜（ｃ）に示すように、例えば前後揺動の際に、鐙１５の足掛け部２１に掛けた足を通じて使用者の脚部に弾性部材２３の弾性力による反力が自然に作用し、脚部を中心に相乗的な運動効果が得られる。具体的に、座部１３が図３（ｂ）の通常状態から図３（ａ）の前傾状態になると、使用者は反射的に足を前方に出して脚部にて踏ん張ろうとするため、その足の動きに追従する足掛け部２１にて弾性部材２３の下部側が前方に向くように該弾性部材２３が屈曲するとともに、該弾性部材２３が下方に向けて伸張する。また、図３（ｃ）の後傾状態になると、使用者は反射的に膝を曲げて後方側で足掛け部２１を踏み込もうとするため、その足の動きに追従する足掛け部２１にて弾性部材２３の下部側が後方に向くように該弾性部材２３が屈曲するとともに、同じく弾性部材２３が下方に向けて伸張する。このような弾性部材２３の屈曲及び伸張を通常状態に復帰しようとする反力が運動負荷として足掛け部２１を通じて使用者の足から脚部に作用し、その脚部を中心に運動効果が付加されるようになる。
【００２３】
従って、本実施形態の揺動型運動装置１０では、座部１３の揺動による通常の運動負荷に加え、鐙１５の足掛け部２１に使用者が足を掛けるだけでその揺動による鐙１５の弾性部材２３からの反力にて使用者に運動負荷が付加されるため、より高い運動効果が得られるようになっている。
【００２４】
次に、本実施形態の特徴的な作用効果を記載する。
（１）本実施形態では、鐙１５には、その伸張方向及び前後方向に対向する弾性力による反力を生じさせる弾性部材２３が備えられている。これにより、座部１３の揺動による通常の運動負荷に加え、その揺動に基づいて使用者が足掛け部２１を通じて鐙１５を踏み込んで伸張方向及び前後方向に変位させた際、弾性部材２３にてその変位方向と対向する方向の反力が生じ、使用者の特に脚部を中心に運動負荷を付加できるため、より高い運動効果を得ることができる。
【００２５】
（２）本実施形態では、鐙１５は、座部１３に対して着脱可能に構成されているため、備えられる弾性部材２３の劣化による鐙１５の交換が容易である。また、弾性部材２３の弾性力が異なる鐙１５を複数用意することで、使用者毎の運動負荷の変更が容易である。
【００２６】
尚、本発明の実施形態は、以下のように変更してもよい。
・上記実施形態で用いる弾性部材２３をコイルスプリング以外で構成してもよく、例えば他のバネ材やゴム材を用いて構成してもよい。
【００２７】
・上記実施形態では特に言及しなかったが、図１及び図２のように弾性部材２３を連結片２２の中央位置に配置するのみならず、配置を適宜変更してもよい。
例えば図４（ａ）は、弾性部材２３を連結片２２の座部１３寄りに偏倚させて配置したものであり、このようにすれば、脚部の中でも上腿部を中心に運動負荷の付与が可能となる。また図４（ｂ）は、弾性部材２３を連結片２２の足掛け部２１寄りに偏倚させて配置したものであり、このようにすれば、脚部の中でも下腿部を中心に運動負荷の付与が可能となる。
【００２８】
・上記実施形態では特に言及しなかったが、図１及び図２のように弾性部材２３を１つとするのみならず、複数とし、並列的な構成としてもよい。
例えば図４（ｃ）は、２つの弾性部材２３を並列的に構成したものであり、このようにすれば、弾性部材２３の１つが万一断裂しても鐙１５としての機能を維持することができる。
【００２９】
・上記実施形態での鐙１５の足掛け部２１に、図４（ｄ）に示すように、足指にて把持可能な凸部２１ａを設けてもよい。このようにすれば、更に足指への運動負荷の付加が可能となる。
【００３０】
・上記実施形態では、鐙１５自体に弾性部材２３を用いて構成したが、例えば図５（ａ）（ｂ）に示すように、鐙１５と装置１０の基台１１側との間に介装する構成としてもよい。尚、図５（ａ）は、鐙１５（例えば足掛け部２１）と基台１１の床板１１ａとの間に弾性部材２３が備えられるものであり、図５（ｂ）は、鐙１５（例えば足掛け部２１）と基台１１の支柱１１ｂとの間に弾性部材２３が備えられるものである。
【００３１】
・上記実施形態では、鐙１５の伸張方向及び前後方向の両方に弾性部材２３による反力が作用する構成であったが、いずれか一方でもよく、また左右方向にその反力を作用させる構成としてもよい。
【００３２】
次に、上記実施形態及び別例から把握できる技術的思想を以下に追記する。
（イ）  基台に駆動機構を介して座部が揺動可能に構成されると共に、前記座部の左右両側に吊り下げられた鐙が備えられ、前記鐙の足掛け部に足を掛け前記座部に跨って着座した使用者に対し、前後方向及び左右方向の揺動を組み合わせた揺動パターンの実行による運動負荷を付与する揺動型運動装置であって、
前記鐙と前記基台側との間に、前記鐙の伸張方向、前後方向及び左右方向の少なくとも一方に対向する弾性力による反力を生じさせる弾性部材が備えられていることを特徴とする揺動型運動装置。
【００３３】
この構成によれば、座部の揺動による通常の運動負荷に加え、その揺動に基づいて使用者が足掛け部を踏み込んで鐙を伸張方向、前後方向及び左右方向に変位させた際、弾性部材にてその変位方向と対向する方向の反力が生じ、使用者の特に脚部を中心に運動負荷を付加できるため、より高い運動効果を得ることができる。
【符号の説明】
【００３４】
１０…揺動型運動装置、１１…基台、１２…駆動機構、１３…座部、１５…鐙、２１…足掛け部、２１ａ…凸部、２２…連結片（連結部材）、２３…弾性部材。
【図１】
2011120728.tif 000003
【図２】
2011120728.tif 000004
【図３】
2011120728.tif 000005
【図４】
2011120728.tif 000006
【図５】
2011120728.tif 000007